(57)【要約】【課題】鏡面を水で濡らすことなく、鏡面を水槽背面部に配して、奥行き感を持たせるようにした観賞用水槽を提供する。【解決手段】水槽１０の少なくとも背面部１０Ａの外側に、反射面１ａが正面側に向くように鏡面を設けている。【選択図】図１
2006101776.tif 000002
【特許請求の範囲】
【請求項１】
水槽の少なくとも背面部の外側に、反射面が正面側に向くように鏡面を設けたことを特徴とする観賞用水槽。
【請求項２】
請求項１において、
前記鏡面は、水槽の背面部、両側面部のすくなくとも一方に、装着具を取り付け、それに鏡をスライドさせて取り付ける構造にしている観賞用水槽。
【請求項３】
請求項１において、
前記鏡面は、水槽の背面部、両側面部のすくなくとも一方に、鏡収容部を設け、そこに鏡を収容させる構造にしている観賞用水槽。
【請求項４】
請求項１〜３のいずれかにおいて、
上記鏡は、平面鏡、凹面鏡、凸面鏡のいずれか１種あるいは、これらのうちの複数種類を組み合わせている観賞用水槽。
【請求項５】
水槽本体部の正面部が背面部よりも大きく形成され、背面と両側面との外側に、反射面が正面部に向くように三面鏡を設けている観賞用水槽。
【請求項６】
請求項５において、
前記水槽本体部の背面部と両側面部には、鏡収容部を設けて、そこに三面鏡を収容させる構造にしている観賞用水槽。
【発明の詳細な説明】
【技術分野】
【０００１】
本発明は、熱帯魚等の観賞用水槽に関するものである。
【背景技術】
【０００２】
従来、観賞用水槽は直方体形状のものが一般的であり、水槽内を明るく見せるため照明器具を使用するなどして演出効果を図っているが、水槽内で光が屈折するため奥行き感がなくなっている。そのため、水槽内の魚や飾り付けなどに注目され、空間の演出が十分になされていないのが現状である。
【発明の開示】
【発明が解決しようとする課題】
【０００３】
水槽内に鏡を置くなどすれば、水槽内を明るくし、奥行き感を持たせることは可能ではあるが、鏡を水槽内に直接設置すると、鏡面が時間とともに汚れ、定期的に清掃しなければならず、きわめて面倒であるし、また鏡面の傷みや変色も早い。
【０００４】
本発明は、このような問題を解決すべく提案されたもので、その目的は鏡面を水で濡らすことなく、水槽内を明るく、かつ奥行き感を持たせるようにした観賞用水槽を提供することにある。さらに、簡単かつ迅速に鏡を水槽に取り付けることができるようにしたものである。
また、第２の目的は、新規な形状の水槽と三面鏡形状の鏡面とを組み合わせて、より豪華で、かつ奥行き感のある観賞用水槽を提供することにある。
【課題を解決するための手段】
【０００５】
本発明者は、上記第１の目的を達成するために請求項１〜４に記載の第１の本発明を、また第２の目的を達成するために請求項５、６に記載の第２の本発明を提案している。
【０００６】
第１の本発明である請求項１に記載の観賞用水槽は、水槽の少なくとも背面部の外側に、反射面が正面側に向くように鏡面を設けている。すなわち、鏡は水槽内に置かず、外面側に配置するようにしている。
【０００７】
請求項２では、請求項１において、鏡面は、水槽の背面部、両側面部のすくなくとも一方に装着具を取り付け、それに鏡をスライドさせて取り付ける構造にしている。
【０００８】
また、請求項３では、請求項１において、鏡面は、水槽の背面部、両側面部のすくなくとも一方に鏡収容部を設け、そこに鏡を収容させる構造にしている。
【０００９】
請求項４では、請求項１〜３のいずれかにおいて、鏡は平面鏡、凹面鏡、凸面鏡のいずれか１種あるいは、これらのうちの複数種類を組み合わせて使用するようにしている。
これによれば、各種のバリエーションの鑑賞が楽しめる。特に、水槽の背面、両側面に異なる種類の鏡面を設けるようにすれば、ユニークな観賞用水槽を家庭で演出することができる。
【００１０】
第２の本発明である請求項５に記載の観賞用水槽は、水槽本体部の正面部が背面部よりも大きく形成され、背面と両側面との外側に、反射面が正面部に向くように三面鏡を設けている。
【００１１】
また、請求項６では、請求項５において、水槽本体部の背面部と両側面部には鏡収容部を設けて、そこに三面鏡を収容させる構造にしている。
【発明の効果】
【００１２】
第１、第２の本発明によれば、水槽に奥行き感を持たせるとともに、以下の効果を期待することができる。
【００１３】
すなわち、第１の本発明である請求項１〜４に記載の観賞用水槽によれば、反射面が正面を向くように、水槽の外側に鏡を配置しているので、鏡が水槽内の水で汚れることがない。また、鏡の水槽に対する取付を簡易な方法にすれば、鏡の取付、取外しが容易に行える。
【００１４】
請求項２では、水槽の背面部、両側面部のすくなくとも一方に、装着具を取り付け、それに鏡をスライドさせて取り付けるようにしているので、鏡の取り扱いがきわめて楽になる。
【００１５】
請求項３では、水槽の背面部、両側面部のすくなくとも一方に、鏡収容部を設け、そこに鏡を収容させるようにしているので、鏡の取り扱いが楽であるとともに、鏡収容部によって鏡が保護されるため、鏡の破損を防止することができる。
また、スポンジなどのクッションで鏡の４隅などを固定すれば、鏡のぐらつきを防止できるので、水槽に鏡を取り付けた状態で移動することができる。
【００１６】
請求項４では、平面鏡、凹面鏡、凸面鏡のいずれか１種を、または、これらのうちの複数種類を組み合わせたものを配しているので、直方体形状の水槽でも各種のユニークな鑑賞用水槽にすることができる。例えば、凹面鏡を取り付ければ、水槽内は拡大されて映し出され、さらに他の種類の鏡を側面に取り付ければ、正面から見たときに複雑な映像となって映し出される。
【００１７】
第２の本発明である請求項５によれば、平面視が台形状の水槽の背面、両側面の外側に、三面鏡を配置するようにしているので、奥行きのない肉薄の水槽であっても広がりのある豪華な観賞用水槽に変身させることができる。
【００１８】
請求項６では、三面鏡を収容する鏡収容部を設けているので、鏡収容部によって鏡が保護され、鏡の破損を防止することができる。また、持ち運びも楽である。
【発明を実施するための最良の形態】
【００１９】
以下に、本発明の実施の形態について、添付図面とともに説明する。以下の実施例１には第１の本発明の実施例を、また実施例２には第２の本発明の実施例を示している。
また、以下の両実施例は、水槽本体とは別体の装着具または鏡収容部を水槽本体に取り付けて、それに対して鏡をスライドまたは収容させて固着するようにしているが、鏡そのものをガラス面に貼り付けてもよいし、水槽背面部等のガラスそのものを鏡面加工またはハーフミラー加工をしたものを使用してもよい。
【実施例１】
【００２０】
図１は、第１の本発明の観賞用水槽の一例を示す説明図である。（ａ）は背面に装着具を取り付けた水槽に対して、鏡をスライド挿入させて取り付けるようにした例である。また（ｂ）は、左右装着具の斜視図である。
【００２１】
図１に示した鑑賞用水槽１０は、直方体形状をしており、背面部１０Ａの外側の左右には鏡を装着するための装着具１１、１１が取り付けられている。装着具１１、１１は、ゴムパッド等の水槽枠（本図においては不図示）またはガラス面に接着させるようにしたものである。水槽枠がある場合にはネジ等で固着すればよいし、ガラス面に固着する場合には、マジックテープ（登録商標）を用いればよいし、接着剤等で鏡の周縁とガラス面とを接着してもよい。
【００２２】
装着具１１は、水槽１０への接着面１１ａと、鏡挿入空間を形成する挿入部１１ｂと、鏡載せ台１１ｃとからなる。また、鏡１は、装着したときに鏡面１ａ（反射面）が正面を向くように、背面部１０Ａと、装着具１１の挿入部１１ｂとの間に、鏡１の両端部をスライドさせながら挿入して取り付けられるようになっている。
鏡１は、ガラス製のほか、樹脂ミラー（アクリルミラー、塩ビミラーなど）やステンレスミラーでもよい。これらは割れにくく、加工もしやすいため、本発明の鑑賞用水槽に使用するのに好適である。特に、軟質のシート状の樹脂ミラーであれば、取り扱いもしやすく便利である。
【００２３】
この観賞用水槽１０の水中に熱帯魚、敷石、水草などを入れてやれば、正面から見たときには、これらの像が鏡面１ａに映し出され、奥行き感が出て、鑑賞効果を上げることができる。また、鏡１は水槽の外側に取り付けるので、鏡１が水に濡れることがなく、水草や水そのものによる汚れが付着することもなく、鏡面１ａの清掃がきわめて簡単であり、鏡面１ａが傷む心配もない。
【００２４】
図２（ａ）は鏡を上から挿入するようにした観賞用水槽の平面図であり、（ｂ）は鏡を側方から挿入するようにした観賞用水槽の側面図である。なお、同一の構成には同一の符号を付している。
図２（ａ）のように上からスライド挿入できるようにしたものでは、水槽１０の背面部１０Ａが設置される場所の壁面側に近接している場合でも、上方空間が空いているため、水槽１０を動かさずに上から簡単に鏡１を挿入することができる。また、図２（ｂ）のように側面１０Ｂ，１０Ｃから挿入するようにしたものでは、鏡１を高く持ち上げる必要がないため、非力な女性や子供でも簡単に挿入でき、かつ安全である。なお、鏡１を入れたまま水槽を傾けたときに鏡１が滑り落ちないように、蓋を取り付けるようにしてもよい。
【００２５】
図２では、装着具１１および水槽背面部１０Ａの、鏡１の４隅に接する箇所に、スポンジ等のクッション材１２を貼り付けたものを示している。これによって、衝撃が吸収されるため、鏡１を取り付けたあとには鏡がぐらつくことがなく、衝撃による破損を防止することができる。
【００２６】
図３は、水槽に対する鏡の装着方法の他例を示す図である。（ａ）は水槽背面部側から見た斜視図であり、（ｂ）は鏡１とそれを保護する保護板１４の側面図である。
水槽１０の背面に、鏡面が正面を向くように鏡１を設置し、それに対して保護板１４を取り付け、水槽１０の上下ゴムパッド枠１５、１５に対して、ゴム紐フック１３、１３を引っ掛けて、鏡１を水槽背面部１０Ａと保護板１４との間に挟み込んで固定する。ここに保護板１４は、鏡１の水槽背面部１０Ａへの取り付けを容易にし、かつ鏡１を裏面から支持し、更に外部からの衝撃や埃の侵入を防ぐために使用されている。
【００２７】
このような簡易な装着具（ゴム紐フック１３、保護板１４）を準備すれば、装着具１１をガラス面等に接着させることなく、使用中の水槽を簡単に鏡付きのものにすることができる。
【００２８】
図４は、装着具に代えて鏡収容部を備えた観賞用水槽の説明図である。
この例の観賞用水槽は、水槽１０の背面部１０Ａに鏡収容部１６を取り付けている。鏡収容部１６は、左右と下部に接着面１６ａを有したケース形状をしており、水槽１０の背面部に取り付けたときには、ケース内部が正面から透けて見えるようになっている。なお、鏡収容部１６の水槽１０に対する取り付けは、上述の装着具１１と同様、接着剤、マジックテープ（登録商標）などによる。
本例では、鏡収容部１６を取り付けた水槽１０に対して、収容部１６の中に、鏡面１ａを正面に向けて鏡１を挿入させるようにした観賞用水槽の構成例を示している。
【００２９】
鏡１は収容部１６によって全体が保護される水槽構造となっているので、鏡１が破損する心配がほとんどない。クッション材１２を貼り付ければ、鏡１を収容させた状態で水槽をそのまま移動させても、鏡本体がクッション材１２以外の物に触れる心配がない。さらに、蓋を取り付ければ、鏡１の側面、裏面はいっさい見えず、見栄えもよくなる。
【００３０】
図５は、鏡付きの鑑賞用水槽のさらに他の例を示す図である。（ａ）には水槽背面に凹面鏡２を取り付けたものを示し、（ｂ）には背面に凸面鏡３、右側面に平面鏡１を取り付けたものを示している。
いずれも鏡収容部１６に各種の鏡を収容させたもので、凹面鏡２を背面に設ければ、水槽１０の中の熱帯魚等が拡大されて映し出され、さらに奥行き感を出すことができる。また、背面、両側面の複数面に、平面鏡、凹面鏡、凸面鏡のいずれか１種または２種以上を組み合わせて取り付けてもよく、複数の鏡面反射によって、複雑な鏡像を映し出すことができる。
【実施例２】
【００３１】
図６は、第２の本発明の構成の一例を示す図である。（ａ）は本発明で使用する鏡、（ｂ）は本発明で使用する水槽を示した斜視図である。
本実施例では、鏡は三枚の鏡４Ａ、４Ｂ、４ＣをヒンジＨでつないだ三面鏡４を用いる。三面鏡４は、ガラス製のほか、樹脂ミラー（アクリルミラー、塩ビミラーなど）やステンレスミラーでもよい。これらは割れにくく、加工もしやすいため、本発明の鑑賞用水槽に使用するのに好適である。また、樹脂等で製された軟質のシート状のものでもよい。シート状の鏡を用いれば、ヒンジＨでつなぐ必要がなく、取り扱いもしやすく利便性が高い。
また、水槽は正面部２０Ｄが背面部２０Ａよりも大きく形成された、すなわち両側面２０Ｂ、２０Ｃが背面部２０Ａに対して鈍角に接合形成された水槽２０を用いる。なお、ここでは平面視が左右対称の台形状の水槽２０を使用するが、左右非対称の台形状のものでもよいし、非台形状のものでもよい。もちろん、一般形状の水槽を用いてもよい。
【００３２】
水槽２０は、背面部２０Ａ、両側面部２０Ｂ、２０Ｃに一体型の鏡収容部２１を設けており、そこに三面鏡４を収容させる構造となっている。鏡収容部４は、例えば、その両端と下部に接着面を有したケース形状をしており、水槽２０の背面部２０Ａ、両側面部２０Ｂ、２０Ｃに鏡収容部２１取り付けたときには、ケース内部が正面から見えるような構造となっている。
【００３３】
図７には、三面鏡４の水槽２０に対する取付説明図を示している。三面鏡４は、その左右面４Ｂ、４Ｃを、台形水槽４の鏡収容部２１に合わせるように角度調整し、鏡全体を鏡収容部２０の開口したところから挿入する。また、鏡収容部２１内の適所にはクッション材（不図示）を設けており、鏡のぐらつきを防止している。
【００３４】
このように、平面視が台形状の水槽２０の正面部２０Ｄ以外の面に鏡面を設置しているので、少ない容量の水槽であっても、奥行き感と広がり感とを持たせることができる。例えば、正面部２０Ｄと背面部２０Ａとの距離が短い（肉薄の）ものであっても、水槽に肉厚感を出すことができる。また同時に、左右の広がり感や実物以上の立体感を出すこともできる。
また、三面鏡４は、平面鏡、凹面鏡、凸面鏡などの異なる種類の鏡を複数組み合わせたものであってもよい。
【図面の簡単な説明】
【００３５】
【図１】第１の発明の説明図であり、（ａ）は本発明の観賞用水槽の鏡取付説明図、（ｂ）は左右の鏡取付具の斜視図である。
【図２】（ａ）は装着具を設けた観賞用水槽の平面図、（ｂ）は上下ガイド金具を取り付けた（右スライド式）観賞用水槽の右側面図である。
【図３】本発明の観賞用水槽の別例を示す説明図である。
【図４】（ａ）は凹面鏡を取り付けた観賞用水槽の平面図、（ｂ）は凸面鏡を取り付けた観賞用水槽の平面図である。
【図５】第２の発明。（ａ）は三面鏡の斜視図、（ｂ）は台形型変形水槽の斜視図である。
【図６】第２の発明の説明図であり、（ａ）は本発明の観賞用水槽で使用する鏡の説明図、（ｂ）鏡収容部を設けた平面視が台形状の水槽の斜視図である。
【図７】台形状水槽への鏡取付説明図である。
【符号の説明】
【００３６】
１      平面鏡
２      凸面鏡
３      凹面鏡
１ａ      反射面
１０      水槽
１０Ａ      背面部
１０Ｂ、１０Ｃ      側面部
１１      装着具
１２      クッション材
１３      ゴム紐フック
１４      保護板
１５      水槽枠（ゴムパッド）
１６      鏡収容部
４      三面鏡
２０      （平面視が台形状の）水槽
２０Ａ      背面部
２０Ｂ、２０Ｃ      両側面部
２１      鏡収容部
【図１】
2006101776.tif 000003
【図２】
2006101776.tif 000004
【図３】
2006101776.tif 000005
【図４】
2006101776.tif 000006
【図５】
2006101776.tif 000007
【図６】
2006101776.tif 000008
【図７】
2006101776.tif 000009